(57)【要約】【課題】  ネットワークに接続された装置に動画データを保存する場合に、その動画データへ不正アクセスされ悪用される恐れがある。ネットワークに接続された装置に動画データを安全に保存し、安全に使用できるデータ保管システムを提供する。【解決手段】  画像入力装置から入力された動画データを所定量毎にファイル化し、そのファイルを秘密分散させて複数の分割データを生成し、分割データをデータサーバーや外部記憶手段に夫々保管する。動画データを見る場合に、ユーザーの使用装置に備わる分割データの復元手段を使い、また管理サーバーを介して復元に必要な分割データをダウンロードし、復元して見る。使用後は復元した動画データは消去される。【選択図】図１
2016184917.tif 000002
【特許請求の範囲】
【請求項１】
動画データを生成するカメラと、
前記動画データをｎ（ｎ≧２）個に分割した分割データであって該ｎ個の前記分割データの内の何れかｍ（ｎ≧ｍ≧２）個の前記分割データから前記動画データを復元できる前記分割データに分割する分割手段と、
前記分割データ毎に、保管する場所を特定する情報を関連付けした情報と前記保管する場所から前記分割データを取得するための条件情報を含むインデックスを生成するインデックス生成手段と、
前記分割データをインターネットに接続された２以上のデータサーバーに保管する制御と前記インデックスを管理サーバーに保管する制御を行う保管制御手段と、
前記分割手段によって分割された前記分割データを前記データサーバーに前記インターネットを介して送信する送信手段と、
を有することを特徴とする監視システム。
【請求項２】
前記送信手段は、前記インターネットに接続され、前記データサーバーにデータを送信する場合に、ＯＳＩ参照モデルの第４層におけるプロトコルとして所定の第１プロトコルと前記第１プロトコルより低速で通信する第２プロトコルを備える通信手段と、
前記インデックスに基づいて前記分割データを前記データサーバーに前記通信手段の前記第１プロトコルを用いて送信し、前記第１プロトコルでの送信に失敗したデータを前記第２プロトコルで送信する制御を行う通信制御手段と、を有することを特徴とする監視システム。
【請求項３】
前記通信制御手段は前記インデックスを前記管理サーバーに前記第２プロトコルで送信する制御を行うことを特徴とする請求項２に記載の監視システム。
【請求項４】
前記カメラからの前記動画データを記憶する画像記憶手段と、
該画像記憶手段に記憶される前記動画データが所定の量に達すると前記分割手段によって該所定の量の前記動画データから前記分割データを生成し、該生成された前記分割データに対応する前記インデックスが生成されることを特徴とする請求項１から請求項３の何れか１項に記載の監視システム。
【請求項５】
前記ｎが３以上であることを特徴とする請求項１から請求項４の何れか１項に記載の監視システム。
【請求項６】
動画データを生成するカメラと、前記動画データをｎ（ｎ≧２）個に分割した分割データであって該ｎ個の前記分割データの内の何れかｍ（ｎ≧ｍ≧２）個の前記分割データから前記動画データを復元できる前記分割データに分割する分割手段と、前記分割データ毎に、保管する場所を特定する情報を関連付けした情報と前記保管する場所から前記分割データを取得するための条件情報を含むインデックスを生成するインデックス生成手段と、前記分割データをインターネットに接続された２以上のデータサーバーに保管する制御と前記インデックスを管理サーバーに保管する制御を行う保管制御手段と、前記インターネットに接続され、前記データサーバーにデータを送信する場合に、ＯＳＩ参照モデルの第４層におけるプロトコルとして所定の第１プロトコルと前記第１プロトコルより低速で通信する第２プロトコルを備える通信手段と、前記インデックスに基づいて前記分割データを前記データサーバーに前記通信手段の前記第１プロトコルを用いて送信し、前記第１プロトコルでの送信に失敗したデータを前記第２プロトコルで送信する制御を行う通信制御手段と、を有する監視システムの前記データサーバーに記憶されている前記分割データから復元される前記動画データを再生する再生装置であって、
前記再生装置から前記管理サーバーに対して、前記インデックスの取得要求がされると、前記管理サーバーは前記再生装置に対して前記インデックスから前記再生装置が取得可能な前記分割データのリストを送信し、
前記再生装置から前記管理サーバーに対して、前記リストの内から所望の前記分割データを選択し、該分割データの取得要求がされると、前記管理サーバーは、前記取得要求された前記分割データを保管している前記データサーバーに対して、前記再生装置に前記取得要求された前記分割データの送信要求をし、該送信要求された前記データサーバーは、前記再生装置に対して前記第１プロトコルを用いて前記取得要求された前記分割データの送信をすることを特徴とする再生装置。
【発明の詳細な説明】
【技術分野】
【０００１】  本発明は、クラウドコンピューティングを活用した監視システムに関する。特に、監視カメラの動画データの電子ファイルを保管するクラウドコンピューティング保管管理装置およびデータ保管システムに関する。特に、電子ファイルを秘密分散技術により分割し、その分割したデータを保管するデータ保管管理装置及びデータ保管システムに関する。監視カメラとその映像を再生する再生装置とを連携させた監視システムに関する。
【技術背景】
【０００２】  近年、防犯は防災の観点から監視カメラが広く普及し、街頭や店頭のみならず一般家庭にも設置されるようになってきた。監視カメラは。人目の届かない死角をなくし、２４時間監視することができ、また、記録装置を併用することで映像記録を残して検証することが出来る利点がある。これらの利点から、一般的には犯罪の抑止効果を狙った防犯システムとして用いられている。
【０００３】  監視カメラを用いた遠隔での監視システムは、従来は警備会社等のシステムに用いられていたが、光ファーバーを用いた高速ネットワーク回線の普及から、個人向けサービスとしてのネットワークを介した監視システムが提唱されている。例えば、複数の監視端末と監視センターがネットワークで接続された監視システムにおいて、監視端末は異常事態の発生を検出して検出した結果に基づく異常情報信号を送信し、監視センターは異常情報信号を取得して、異常発生要因およびどの監視端末から送信されたのかを判別し、判別結果に応じて、異常情報を通知すべき監視端末を選択して通知するものがある。また、安価なＷｅｂカメラが利用になったことから、外出先から携帯電話のような携帯端末を用いて、Ｗｅｂカメラで自宅の様子をリアルタイムで見ることもできるようになった。
【０００４】  しかし、このような監視システムは、監視センターを介するシステムであるため、監視センターに監視員が２４時間常駐して、監視に当たる必要はある。また、Ｗｅｂカメラと携帯端末を接続する個人向けのシステムでは、Ｗｅｂカメラに赤外線センサ等を併設することにより、異常を知らせる信号を携帯端末に送信することも可能であるが、複数台の監視カメラを用いた広範囲での監視は困難であり、異常を知らせるセンサの種類にも制約がある
【０００５】  監視カメラの記録媒体も機械本体のハードディスクを使用して記録するようになり、データをある程度中期間の保管面も容易になったが、記録媒体のメンテナンス面を考慮し、映像の画素を低くし、長時間記録可能な設定にしている。画像の品質を落とすと言うことは有事の際の判断にも大きく関係してくるので、余り好まれる行為とは言えない。
【０００６】  また、近年監視カメラの映像に関する個人情報保護の観点からプライバシーや肖像権侵害に関する問題がクローズアップされている。経済産業省の個人情報に関するガイドラインには、個人情報に該当する事例として「防犯カメラに記録された映像は不特定多数の個人情報である可能性がある。」との記載がある。悪意のある者が意図的に映像を流出させてしまった場合、プライバシーや肖像権の侵害になる可能性がある。その為、録画装置に保存された個人が識別できる録画情報は、「個人情報」であることから、その映像が関係者以外や社外に漏洩しない対策を講じる必要性がある。
【０００７】  ２０１５年３月１０日に閣議決定された個人情報保護法の改正案や要綱には、２００５年全面施行の現行法が規定した氏名や生年月日に、特定の個人の身体の一部の特徴を電子計算機の用に供する為に変換した符号であって、当該個人を識別できるもの顔や指紋データあるいは免許証番号などが含まれている。顔認識にまつわるトラブル事例等からも今後法律になる可能性は非常に高いと思われる。
【０００８】  インターネットに接続している装置に映像を記録した電子ファイルを保管する場合に、悪意のある者にその電子ファイルにアクセスされ、取得されてしまう恐れがあり、必ずしも安全であるとは言い切れない。既に米国ではＡｐｐｌｅ社が運営しているインターネット保管サービスからアカウントが摂取され、保管してある電子ファイルが盗まれている。一方、この様な者から電子ファイルを守るための対策として、盗まれた電子ファイルをそのままでは使えない様に、その電子ファイルを暗号化して保管する技術が知られている。しかし、近年の暗号を解読する技術および機器の進歩により、必ずしも暗号化しただけの電子ファイルは安全であると言い切れなくなってきている。
【０００９】  また、映像を記録した電子ファイルを暗号化したとしても個人情報の定義からは個人情報その物であり、映像を記録した電子ファイルが漏洩した場合、個人情報漏洩と同じ意味と解釈できる。
例えば特許文献１には、監視カメラの映像を、ネットワークを介して画像保存手段に保存する技術が開示されている。
【先行技術文献】
【特許文献】
【００１０】
【特許文献１】  特開２００６−３１０９００号公報
【発明の概要】
【発明が解決しようとする課題】
【００１１】  監視カメラは上記の防犯以外に、事故や災害を監視して早急に対処して、被害を最小限に留めるような利用も期待できる。しかし、事故や災害のための監視システムは、上述した監視システムのように、監視員が監視センターで２４時間監視に当たる必要がある。映像機器の不具合を人的要因から察知して対処できるという利点はあるが、このような監視システムは、監視するための場所や人、設備を必要とするため、監視システムに多大なコストが掛かる。【００１２】  今後、監視カメラはネットワークカメラにシフトして行く傾向にある。遠隔地からの監視システムが作り易い環境になるが、何処からでも映像を記録した電子ファイルを見る事が可能となるし、簡易の保管できる利点がある。【００１３】  近年、画像、動画は高解像度化し、その電子ファイルは大容量化している。更に今後、４Ｋ・８Ｋへの施行強化の傾向が強く、更に電子ファイルの大容量化は進む。そのため分割した電子ファイルのダウンロードやアップロードに時間がかかり、利便性が悪くなるという問題が生じている。また、引用文献１の技術では、また、電子データがネットワークを介してセキュリティーが弱い状態で送られることになる。また、ユーザー端末に完全な形の電子データが残り、ユーザー端末からこの電子データにアクセスされる恐れもあり、セキュリティー上の問題もある。【００１４】  本発明は、上記のような従来の事情を鑑みて為されたものであり、サーバー装置側に保持されている画像および通信経路でのセキュリティーの強化がかのうであり、また、無線による通信を用いる場合に、その無線通信の速度が低速な場合においても画像伝送の効率を高めることが可能な技術を提案することを目的とする。
【課題を解決するための手段】
【００１５】  本発明は、ネットワークに接続された装置に動画データの電子ファイルを安全に保管すると共に、効率的に通信し、さらに使用する端末においても安全に使用できるデータ保管装置および監視システム、その動画データを再生する再生装置を提供する。
本願発明のデータ保管管理装置は、動画データを生成するカメラと、前記動画データをｎ（ｎ≧２）個に分割した分割データであって該ｎ個の前記分割データの内の何れかｍ（ｎ≧ｍ≧２）個の前記分割データから前記動画データを復元できる前記分割データに分割する分割手段と、前記分割データ毎に、保管する場所を特定する情報を関連付けした情報と前記保管する場所から前記分割データを取得するための条件情報を含むインデックスを生成するインデックス生成手段と、前記分割データをインターネットに接続された２以上のデータサーバーに保管する制御と前記インデックスを管理サーバーに保管する制御を行う保管制御手段と、前記インターネットに接続され、前記データサーバーにデータを送信する場合に、ＯＳＩ参照モデルの第４層におけるプロトコルとして所定の第１プロトコルと前記第１プロトコルより低速で通信する第２プロトコルを備える通信手段と、前記インデックスに基づいて前記分割データを前記データサーバーに前記通信手段の前記第１プロトコルを用いて送信し、前記第１プロトコルでの送信に失敗したデータを前記第２プロトコルで送信する制御を行う通信制御手段と、を有することを特徴とする監視システム。【００１６】  本願発明の再生装置は、動画データを生成するカメラと、前記動画データをｎ（ｎ≧２）個に分割した分割データであって該ｎ個の前記分割データの内の何れかｍ（ｎ≧ｍ≧２）個の前記分割データから前記動画データを復元できる前記分割データに分割する分割手段と、前記分割データ毎に、保管する場所を特定する情報を関連付けした情報と前記保管する場所から前記分割データを取得するための条件情報を含むインデックスを生成するインデックス生成手段と、前記分割データをインターネットに接続された２以上のデータサーバーに保管する制御と前記インデックスを管理サーバーに保管する制御を行う保管制御手段と、前記インターネットに接続され、前記データサーバーにデータを送信する場合に、ＯＳＩ参照モデルの第４層におけるプロトコルとして所定の第１プロトコルと前記第１プロトコルより低速で通信する第２プロトコルを備える通信手段と、前記インデックスに基づいて前記分割データを前記データサーバーに前記通信手段の前記第１プロトコルを用いて送信し、前記第１プロトコルでの送信に失敗したデータを前記第２プロトコルで送信する制御を行う通信制御手段と、を有する監視システムの前記データサーバーに記憶されている前記分割データから復元される前記動画データを再生する再生装置であって、前記再生装置から前記管理サーバーに対して、前記インデックスの取得要求がされると、前記管理サーバーは前記再生装置に対して前記インデックスから前記再生装置が取得可能な前記分割データのリストを送信し、前記再生装置から前記管理サーバーに対して、前記リストの内から所望の前記分割データを選択し、該分割データの取得要求がされると、前記管理サーバーは、前記取得要求された前記分割データを保管している前記データサーバーに対して、前記再生装置に前記取得要求された前記分割データの送信要求をし、該送信要求された前記データサーバーは、前記再生装置に対して前記第１プロトコルを用いて前記取得���求された前記分割データの送信をすることを特徴とする。
【発明の効果】
【００１７】  本願発明によれば、インターネットに接続された装置に電子ファイルを安全に保管でき、その電子データをインターネットに接続した装置で使用する場合にも安全に使用でき、効率的に通信できる。
【図面の簡単な説明】
【００１８】
【図１】  図１は、データ保管システムを説明する図である。
【図２】  図２は、画像入力装置が接続されたユーザー装置のブロック図である。
【図３】  図３は、保管する電子ファイル及び分割データの例を説明する図である。
【図４】  図４は、保管する電子ファイルのインデックスの例を説明する図である。
【図５】  図５は、装置間のデータ送受信を説明する図である。
【発明を実施するための形態】
【００１９】  以下に、図面を用いて本願発明の実施形態を説明する。
図１は、データ保管システムを説明する図である。図２は画像入力装置が接続されたユーザー装置のブロック図である。まず、これらの図を用いて説明する。第１ユーザー装置１は、インターネット１０に接続するコンピューターを含む装置である。画像入力装置５は映像を撮影する監視カメラである。画像入力装置５は第１ユーザー装置１に接続されている。また、第１ユーザー装置１と画像入力装置５を一体のタブレット型のコンピューターで構成することも可能である。また、防犯カメラにデスクトップ型コンピューター、ノート型コンピューター、ＰＤＡ、タブレット、携帯電話などの情報装置を接続した構成なども含む。画像入力装置５は第１ユーザー装置１に接続され、例えば動画像などの画像データを生成して第１ユーザー装置１に出力するするカメラである。画像入力装置５はネットワークを介して第１ユーザー装置１に接続されていても良い。この場合、画像入力装置５には、カメラ機能の他にネットワークに接続するインターフェースを備える。ＰｏＥによって電力給電と共に通信できることが好ましい。複数のポートを備えるルーターに、複数の監視カメラをＰｏＥで接続し、またそのルーターに１台の第１ユーザー装置１を接続することで、複数台の監視カメラを接続することが容易にでき、またインターネットに容易に接続できる。各監視カメラからの動画データを１台の第１ユーザー装置で管理できる。
【００２０】  第２ユーザー装置２はインターネット１０に接続された無線基地局３と無線接続するコンピューターを含む装置である。例えば、第２ユーザー装置２は、デスクトップ型コンピューター、ノート型コンピューターの他に、テレビ、ＰＤＡ、タブレット、携帯電話などの情報装置なども含む。無線基地局３は、携帯電話の基地局の他、無線ＬＡＮなどの基地局も含む。ユーザー装置２は、インターネット１０に有線接続でも無線接続でもどちらでも接続することができる。また、ユーザー装置２は、動画データの再生ができる。
管理サーバー４は、インターネット１０に接続され、第１ユーザー装置１あるいは第２ユーザー装置２などのユーザーの使用する装置と通信し、動画データなどの電子データの送受信を行い、保管する電子ファイルの管理を行う。管理サーバー４は、第１データサーバー７、第２データサーバー８、第３データサーバー９へのデータの保管、読み書きの制御配信サーバー６によるデータの配信の制御などを行う。第１データサーバー７、第２データサーバー８、第３データサーバー９は、電子データの保管を行う。配信サーバー６はストリーミングデータの生成を行い、第１ユーザー装置１、第２ユーザー装置２へストリーミングデータの配信を行う。この実施形態では、動画データについて述べるが、動画データの代りに、音データまたは動画データと音データの混載データでも同様に制御できる。
【００２１】  第１ユーザー装置１の全体の制御を司る制御手段１１はＲＯＭ１６に記憶されているプログラムに従って動作する。ＲＡＭ１７はデータの一時的な保存、制御手段１１のワークエリアなどに使われる。ＲＯＭ１６には制御手段１１が使用する初期データなどの設定値なども記憶されている。制御手段１１は、ＵＳＢメモリーやＳＤカードなどの外部記憶手段１８と接続するインターフェースを備え、これらを接続できる。通信手段１５はインターネット１０と接続するための通信手段である。インターネット１０を介して通信する場合に後述する高速と低速の通信プロトコルを使用できる。低速、高速は単なるビットレートの比較ではなく、同一のビットレートの回線を用いた場合に、単位時間あたりに実際に送信できる画像データの量が少ないか多いかを表している。
表示手段１３は液晶ディスプレイなどの表示手段であり、制御手段１１の制御に基づいて動作し、文字や画像を表示する。入力手段１４は、スイッチ、タッチパネル等の入力手段であり、制御手段１１に対して入力したデータを出力する。画像入力手段５は、光を電気信号に変換する電子カメラなどであり、動画データを生成できる。制御手段１１は画像入力手段５から動画データを入力する。
【００２２】  データ記憶手段１２は、第１メモリーｌ９、第２メモリー２０、第３メモリー２１、通信データメモリー２２を含み、夫々電子データを記憶する記憶手段である。例えばＨＤＤ、ＳＳＤ、ＲＡＭなどのメモリーである。
次に図３を用いて、保管する電子ファイル及び分割データの例を説明する。メモリー容量を概念的に説明する図である。データ記憶手段１２の中に画像入力手段５からの動画データを蓄積するメモリー３０を更に有する。このメモリー３０の所定の容量の閾値３１まで画像入力装置５からの動画データが蓄積されると制御手段１１の分割部を用いて第１分割データ３２、第２分割データ３３、第３分割データ３４に画像データを分割する。分割された画像データは夫々第１メモリー１９、第２メモリー２０、第３メモリー２１に一旦格納され。メモリー３０に残された画像データはその後上書きされ、無くなる。閾値３１までの容量とは、例えば１分間分の動画データとするなど、動画データを所定時間で分けることができる。分ごとに分けることで見たい場面を容易に見ることができようになる。分割データを取得する必要があるので、分割データが大きすぎると復元に時間がかかってしまう。また小さすぎると、処理の頻度が多くなってしまう。元のデータは、１０秒から２０分程度のデータであることが好ましい。これを一つの元ファイルとし、複数の分割データに秘密分散させ、夫々の分割データを別々の場所にあるサーバーに保存する。
【００２３】  制御手段１１は、分割された分割データの内２つ、すなわち第１分割データ３２と第２分割データ３３は夫々第１データサーバー７と第２データサーバー８に保存する。また、第３分割データ３４は第３データサーバー９もしくは外部記憶手段１８に記憶する。夫々の分割データを別々の場所あるデータサーバーに送信手段で送信し、夫々の分割データを夫々のデータサーバーに保存する。
ファイルを分割する場合、分割数は３以上であっても良いし、サイズが異なっても良い。また、ｎ個（ｎ≧３）に分割したデータはｍ個（２＜ｍ≦ｎ）の分割されたデータから復元できるように分割されている。例えば、３個に分割された分割データは、３個の内の任意の２個の分割された分割データから復元できる。この分割された分割データを、夫々別々の場所に記憶する。別々の所に保管することでリスクが分散し、低減する。データを２つに分割して、両方のデータから復元してもよい。
【００２４】  また、制御手段１１は、インデックス生成部を備える。分割部で画像データを分割すると共に、インデックス生成部でインデックスを作成する。このインデックスには、元々の電子ファイルである画像データのファイル名、分割数、分割後データ名、分割されたデータの保管場所などの情報が含まれる。保管場所は予め決められているか、保存場所を循環させるなど決められた方法で指定される。また、他に条件情報が含まれる。この条件情報は、復元するための分割データ数、基の電子ファイル名を保存でき、更に使用できる装置が固有に持つ装置固有Ｎｏ．、使用できる装置が持つ秘密鍵に対する公開鍵の情報、ＩＤ、パスワードなどの復元する電子ファイルの復元、保存、使用する場合の条件の情報である。生成されたインデックスは管理サーバー４に送信され、保管される。図４にインデックスの一例を示す。また条件情報は分割された分割データ毎に、復元ができる範囲で、異なる情報でもよい。例えば、第３分割データ３４は第１ユーザー装置１のみで使用でき、他のデータは第１ユーザー装置１または第２ユーザー装置２で使用できるようにするとかの条件を付けることも可能である。
管理サーバー４は、保管されているインデックスに基づいて分割データの保管先である第１データサーバー７、第２データサーバー８、第３データサーバー９、または外部記憶手段１８にデータの読み書きの制御を行う。また、管理サーバー４に送られてきたインデックスは、インデックスリストに追加される。また、例えば、第１ユーザー装置１を管理サーバー４とすることも可能である。また、監視カメラと第１ユーザー装置１を同一のＬＡＮ内に接続し、そこらかファイヤーウオールを介して外部のインターネットに接続することが好ましい。分割する前の動画データはＬＡＮ内でしかデータ通信がされず、分割後に分割データがファイヤーウオールを介して外部のインターネットでデータ通信がされるようにする。分割された分割データは、それ一つだけでは復元ができないので安全なデータ通信が可能となる。
【００２５】  管理サーバー４は他に、各データサーバー７、８、９、配信サーバー６、管理サーバー４へのアクセス及び使用に関する情報を蓄積する。この情報の収集は管理サーバー４に備わる課金部によって行われる。例えば、データサーバー７、８、９の利用量をユーザー毎に管理し、課金情報に変換し、蓄積する。また、アクセスログを蓄積する。ユーザーは使用量に応じて課金され、対価を支払うことになる。
ユーザーは、例えば第２ユーザー装置２から、管理サーバー４へインデックスの開示の要求をする。管理サーバー４は第２ユーザー装置２から条件情報に対応する情報を取得し、インデックスリストと比較し、開示可能なインデックスリストを生成する。インデックスリストには、分割データの所在に関するデータは除かれている。生成されたインデックスリストを第２ユーザー装置２へ送信する。
【００２６】  第２ユーザー装置２は、インデックスリストを表示し、ユーザーに所望の画像データを選択させ、選択された所望の画像データを示す情報を管理サーバー４へ渡す。
管理サーバー４は、所望の画像データに対応する分割データを抽出し、復元に必要な２つの分割データ保管する装置から分割データを取得するための要求をする。例えば第１データサーバー７及び第２データサーバー８に要求する。第１データサーバー及び第３データサーバー９の組合せでも可能である。第１データサーバー７及び第２データサーバー８は、対応する分割データを高速のプロトコルを使って管理サーバー４へ送信する。このとき、第２ユーザー装置２の秘密鍵に対応する公開鍵で暗号化しても良い。
【００２７】  管理サーバーで所望の画像データに復元し、第２ユーザー装置２に復元した画像データを送り、使用する。使用後に削除する制御をプログラミングしておくことで、悪意のある第三者に盗まれる可能性が低くなり、より安全性が高いものとなる。この場合、使用した機器に電子ファイルが残らないので他人に盗られることも無くなる。この方法は、一つの電子ファイルを複数のユーザーで利用する場合に特に好ましい。
インデックスの参照要求を出した第２ユーザー装置２はインデックスリストを受信し、ユーザーはそのインデックスリストから参照する電子ファイルを特定することになる。特定した電子ファイルに対するユーザー特定情報を生成する。ユーザー特定情報は、インデックスの条件情報の全て又は重要な一部を含む。重要な一部は、ＩＤ、パスワードの他に利用者の使用する機器の秘密鍵に対する公開鍵の情報、使用する機器の固有Ｎｏ．などであることが好ましい。あるいはワンタームパスワードとの組み合わせによる２要素認証を用いても、問題ない。このような利用者を特定するのに十分なものが好ましい。
【００２８】  また、別の例では、管理サーバー４から直接第２ユーザー装置２へ送信せずに、配信サーバー６に復元されたデータを高速のプロトコルを使って送信し、配信サーバー６から第２ユーザー装置２へ高速のプロトコルを使って送信する。たとえば、分割前の画像データがストーミングできる形式のデータであれば、外部記憶装置１８に一方の分割データを保存し、これを第２ユーザー装置２に接続する。他方の分割データを第１データサーバーに保管してあれば、ストーミングデータの全てをダウンロードせずに一部のデータをダウンロードするだけ再生ができるので、通信の効率化ができる。
管理サーバー４は、関連するサーバーのアクセス状況、使用状況のデータを蓄積すると共に課金情報を生成して蓄積するが、この情報はユーザー毎、あるいはユーザーの装置毎に生成、蓄積される。この情報から、使用料をユーザーに請求し、支払いを受けることに使用する。また、例えば、登録されたＩＰアドレス、ＭＡＣアドレスと異なるＩＰアドレスやＭＡＣアドレスからの接続がされた場合など不正アクセスを検出し、その情報を予め登録されたメールアドレスへ送信することができ、ユーザーまたは管理者に素早く自動で報告できる。
【００２９】  分割後の分割データは、それ自体では何も意味を持たないデータなので、セキュリティーの低い送信方法で送信され、その代わりに高速で送信される。ユーザーとのやり取り以外の通信で大容量のデータを頻繁に通信する必要があるので、それ自身では何も意味を持たない分割データにすることでセキュリティーを高め、通信手段はセキュリティーの低い送信方法を使い、その代わりに高速で送信する。利用者とは直接通信しないシステムの通信部分、例えばバックボーン、の負荷が低下するので同じ通信帯域の場合により多くのデータの送受信が可能となる。すなわち、これにより通信の効率化できる。
次に、コンピューター同士の通信について説明する。コンピューター同士が正しく通信するためには、それぞれのコンピューターが共通の規則と手続きに従う必要がある。ここでは、装置間の通信にはインターネットを用いることとする。また、ＯＳＩ参照モデルの第３層にＩＰプロトコルを用いる。そして、低速で通信する場合には、第４層にＴＣＰプロトコルを用い、高速で通信する場合にはＴＣＰプロトコルとＵＤＰプロトコルを使って通信する。
【００３０】  ＵＤＰプロトコルは２つの装置の論理的な通信を実行する機能を持つが、通信手順は単純で、相手をアドレスで特定して送受信するだけなので、通信回線の容量をデータの送信にたくさん使えるので、効率的であり、高速な通信をすることができる。しかし、誤りチェックや再送手順が無いので、パケットのロストが生じても再送することが無いなどの問題も有り、高信頼な通信が必要な場合には、信頼性を高める仕組みを組み込む必要がある。一方ＴＣＰプロトコルは、コネクションの確立、維持、切断、順序制御、再送制御などの点でＵＤＰプロトコルに比べ保護され、その分、高信頼な通信ができるが、通信回線の容量をデータの送信に使える分が少なくなり、また応答の確認などのために待ち時間が生じるなど、非効率的な面があり、その分低速な通信となる。
図５は、装置間のデータ送受信を説明する図である。Ａ装置からＢ装置へ、Ａ装置の電子データを高速で送信する通信する場合を示した図である。Ａ装置にはＢ装置へ送信する電子データが、Ａ装置内の記憶手段に記憶されている。この記憶手段は、Ａ装置に内蔵されているＲＡＭ、ＲＯＭ、フラッシュメモリ、ＨＤＤなどの記憶手段でも、Ａ装置にインターフェースを介して接続されたＵＳＢメモリー、ＳＤメモリー、ＨＤＤなどの外部メモリーでもよい。
【００３１】  Ａ装置とＢ装置はインターネットを介して接続されている。また、Ａ装置とＢ装置は、ＴＣＰプロトコルとＵＤＰプロトコルを使用して接続できる装置である。ＵＤＰプロトコルは予め決められたＵＤＰプロトコルであり、通信対象の装置にこのＵＤＰプロトコルで通信するためのプログラムを格納してある。Ａ装置からＢ装置に電子データを送信する場合に、先ずＴＣＰプロトコルで接続し、送信対象の電子データの送信基礎情報を、Ａ装置からＢ装置に送信する。この送信基礎情報は、対象の電子データの容量、パケット数、ＵＤＰプロトコルで送信することを示す情報、パケットの番号、チェックサムやハッシュ値等の誤り検出情報、通信に必要な最大時間などを含む、安全な通信に必要な情報である。この送信基礎情報はＢ装置の秘密鍵に対応する公開鍵で暗号化して送信しても良く、その場合はさらに安全な通信ができる。
次に、Ｂ装置が送信基礎情報をＡ装置から取得した後に、ＵＤＰプロトコルによって送信対象の電子データを送信する。電子データは第１パケットから第ｎパケットまであり、Ａ装置から送信され、Ｂ装置が受信する。しかし、インターネットを介しているので、必ずしも決められた時間内にパケットが届かず、または途中で紛失したりして、正しくＢ装置が受信できないパケットが存在する。
【００３２】  このようなロストしたパケットがある場合に、ロストしたパケットをＡ装置からＢ装置へ再送させなければならない。ロストしたパケットの量が所定値以下の場合はＴＣＰプロトコルで再送するようにＢ装置からＡ装置へ再送要求を送信する。この再送要求はＴＣＰプロトコルで行われる。また所定値を超える場合は、ＵＤＰプロトコルを使って再送するようにＢ装置からＡ装置へ再送要求を送信する。この再送要求には、再送に使うプロトコル、ロストしたパケットの番号などのロストしたパケットを特定できる情報が含まれる。
ロストしたパケットが無い場合にはＴＣＰプロトコルを使って、電子データの全てを受信したことを示す情報をＢ装置からＡ装置に送信する。
【００３３】  Ａ装置は、Ｂ装置の再送要求に従って、ロストしたパケットを送信する。この場合も、パケットがロストすることが考えられ、ロストしたパケットがある場合は、ロストしたパケットの量が所定値以下か超えるかを判断し、上述と同じように再送要求をする。
ロストしたパケットが無い場合にはＴＣＰプロトコルを使って、電子データの全てを受信したことを６示す情報をＢ装置からＡ装置に送信する。ここで、ロストしたパケットは誤り検出情報によって判明する誤ったデータを含むパケットも含まれる。
【００３４】  ＵＤＰプロトコルを用いるので、全てをＴＣＰプロトコルで通信した場合に比べ格段に通信に係る時間が短縮される。また上述の例では、ＴＰＣとＵＤＰの両プロトコルを用いたが、ＵＤＰプロトコルを用いた通信の中に上述と同様の誤り検出、再送制御を組み込むことでＵＤＰプロトコルだけを用いることもできる。しかし、この場合に、更に高速にできる可能性もあるが、新たな通信プログラムが必要になるなどの問題も存在する。異なるプロトコルの良い所を利用して、高速な通信ができ、送受信するデータの容量が多きなるほどその効果が上がります。
【００３５】  また、第１ユーザー装置１で分割された分割データを第１データサーバー７、第２データサーバー８、第３データサーバー９に送信する場合に、上述の高速で通信する場合のＴＣＰプロトコルとＵＤＰプロトコルを使い分ける制御を行って、インターネット１０を介してデータ通信をする。
また、ｎ個に分割し、その分割データ夫々を別々のデータサーバーに保存し、復元に必要なｍ個の分割データを取得する場合は、それを取得する前に、最も高速で通信できるデータサーバーを探索して最も早い通信速度が得られるものから取得する。例えば、疑似データを使って通信し、通信速度を計測し、早く通信できるデータサーバーから順にデータを取得する。また、元のデータが例えば１分毎のデータとなっている場合に、５分間のデータ、すなわち５個の元のデータの分割データを取得する場合に、一つの元のデータ毎に通信速度を計測し、最も早く通信できるデータサーバーから取得する。このようにすることで、より早く元のデータを復元できる。
【００３６】  第１ユーザー装置１と画像入力装置５とはＬＡＮで接続することもできる。この場合、画像入力装置５は複数であってもよい。個別に上述と同様の制御をすることで、例えば２台の監視カメラ毎の動画データを夫々複数の分割データにし、夫々別々のインデックスを作り、別々のデータサーバーに保存することができる。複数台の監視カメラを１つの第１ユーザー装置１で管理することもできる。
【産業上の利用可能性】
【００３７】  本願発明は、ネットワークに接続され、電子データを保管する装置に利用できる。
【符号の説明】
【００３８】１  第１ユーザー装置
２  第２ユーザー装置
３  無線基地局
４  管理サーバー
５  画像入力装置
６  配信サーバー
７  第１データサーバー
８  第２データサーバー
１０  インターネット
【図１】
2016184917.tif 000003
【図２】
2016184917.tif 000004
【図３】
2016184917.tif 000005
【図４】
2016184917.tif 000006
【図５】
2016184917.tif 000007